(57)【要約】    【課題】  相対回転可能な２つの筒状部材を通過してレンズ鏡筒の内圧調整を行うことができ、かつ良好な防水防滴性能を確保できるようにする。    【解決手段】  それぞれレンズ鏡筒を構成し、光軸回りで相対回転可能な筒状の部材である第１の部材４，９および該第１の部材の内側に配置された第２の部材３０を有する光学機器において、第１の部材に第１の通気開口部９ｂを形成し、第２の部材に第２の通気開口部３０ｃを形成する。第１の部材には、撥水性および通気性を有し、第１の通気開口部を覆うカバー部材３６を取り付ける。第１の通気開口部と第２の通気開口部のそれぞれの少なくとも一部が、第１および第２の部材の相対回転位置にかかわらずレンズ鏡筒の径方向において重なる。    【選択図】  図１ 
2005227400.tif 000002
【特許請求の範囲】
【請求項１】
それぞれレンズ鏡筒を構成し、光軸回りで相対回転可能な筒状の部材である第１の部材および該第１の部材の内側に配置された第２の部材を有し、
前記第１の部材に第１の通気開口部が形成され、前記第２の部材に第２の通気開口部が形成され、
前記第１の部材には、撥水性および通気性を有し、前記第１の通気開口部を覆うカバー部材が取り付けられており、
前記第１および第２の通気開口部は、それぞれの少なくとも一部が前記第１および第２の部材の相対回転位置にかかわらず前記レンズ鏡筒の径方向において重なるように形成されていることを特徴とする光学機器。
【請求項２】
前記第１および第２の通気開口部の周方向位置および周方向長さが、該第１および第２の通気開口部のそれぞれの少なくとも一部が前記第１および第２の部材の相対回転位置にかかわらず前記径方向において重なるように設定されていることを特徴とする請求項１に記載の光学機器。
【請求項３】
前記第１および第２の通気開口がそれぞれ、周方向複数位置に形成されていることを特徴とする請求項１又は２に記載の光学機器。
【請求項４】
前記第１の部材と前記第２の部材とが相対回転することにより、前記レンズ鏡筒内に配置された複数のレンズユニット間の間隔が変化することを特徴とする請求項１から３のいずれか１つに記載の光学機器。
【請求項５】
前記第１の部材は、前記カバー部材から前記径方向に離れた位置で該カバー部材を覆うカバー部を有することを特徴とする請求項１から４のいずれか１つに記載の光学機器。
【請求項６】
前記カバー部は、前記カバー部材との間に形成された空間を像側に向かって開放する形状を有することを特徴とする請求項５に記載の光学機器。
【請求項７】
前記第１の部材は、前記カバー部を有する第３の部材と、該第３の部材に結合され、かつ前記第１の通気開口部が形成された第４の部材とを有することを特徴とする請求項５又は６に記載の光学機器。
【請求項８】
前記第３の部材の内周側において、該第３の部材と前記第４の部材とが光軸方向に当接しており、
該当接部に防滴処理が施されていることを特徴とする請求項７に記載の光学機器。
【請求項９】
前記カバー部の外周は、該光学機器をその外周を囲むように保持する保持装置によって保持される部分であることを特徴とする請求項４から６のいずれか１つに記載の光学機器。
【請求項１０】
前記第１の通気開口部と前記第２の通気開口部とが、前記第１および第２の部材の相対回転位置にかかわらず前記第１の通気開口部のうち５０％以上の領域で重なることを特徴とする請求項１から９のいずれか１つに記載の光学機器。
【請求項１１】
請求項１から１０のいずれか１つに記載の光学機器であって、撮影装置に装着可能であることを特徴とする交換レンズ装置。
【発明の詳細な説明】
【技術分野】
【０００１】
本発明は、防水防滴構造を備えた交換レンズ装置等の光学機器に関するものである。
【背景技術】
【０００２】
従来、ズーム機構を備えたレンズ装置において、全長が伸縮することにより焦点距離が変化するズームレンズがある。このようなズームレンズでは、最も被写体側に配置されたレンズユニットを保持するレンズ保持部材がズームの際に移動し、レンズ鏡筒内部の空気の占める容積が大きく変化するものが数多く存在する。このようにレンズ鏡筒内部の容積が変化する際には、レンズ鏡筒の適当な隙間から空気が出入りし、レンズ鏡筒内の圧力が外圧と実質的に同一に保たれる。これにより、ズーム操作によるレンズ保持部材の移動をスムーズに行わせることができる。
【０００３】
一方、このようなレンズ装置に対して防水防滴機能を付与しようとすると、レンズ鏡筒は外部に対して密閉されるため、空気の出入りができなくなる。そこで、従来は、カメラ本体の一部（グリップ部や側面）に開口部を設けている。また、レンズ鏡筒に開口部を設け、この開口部に空気の通過は許容しながら水滴の通過を阻止する撥水通気性部材（例えば、撥水性微多孔部材）を配置し、通気路を設けるようにしている（特許文献１，２参照）。
【０００４】
また、本出願人は、移動筒の周壁の複数箇所に通気孔を設け、該通気孔を撥水性微多孔部材で覆うようにしたレンズ装置を提案している。
【特許文献１】特許第２９０９９０６号公報（実施例、第２図等）
【特許文献２】特開平９−１９７５２７号公報（００２３、図１等）
【発明の開示】
【発明が解決しようとする課題】
【０００５】
しかしながら、交換レンズが装着可能なカメラ本体には、焦点距離レンジが異なる複数の交換レンズが装着されることが多い。従って、特許文献１のように、カメラ本体に内圧調整用の通気穴を設けた場合には、防水防滴性能を満足させるために、最も容積変化が大きな交換レンズに対応した大きさの（かなり大きな）防水通気穴を設けなくてはならず、カメラの機能上問題が生じたり、外観を損なったりする。
【０００６】
なお、容積変化量に対して小さすぎる通気穴では、レンズ装置を素早くズーム操作した際に、水密構造としてのシーリング部から空気が出入りし、異音が発生するおそれもある。
【０００７】
また、防水通気穴が外観に露出した構成であると、使用者がカメラやレンズ鏡筒を操作する際に、撥水性微多孔部材を指で押してしまい、撥水性微多孔部材のはがれやキズ付きのおそれもある。さらに、指に付着している油や汚れ等により、撥水性微多孔部材の撥水性が損なわれるおそれもある。
【０００８】
一方、特許文献２のように、撥水性微多孔部材で覆われた通気穴が１箇所のみであると、その通気穴の殆どを覆うように水滴が付着した場合、撥水性微多孔部材における通気量が確保できず、ポンプ作用によって内部に水滴が入り込んでしまう場合がある。撥水性微多孔部材は、水滴が一度通過してしまうとその撥水効果が著しく劣化する。
【０００９】
また、筒状部材の周壁の複数箇所の通気孔を形成した場合、上記のような問題は解消されるが、相対回転可能な２つの筒状部材を通過して内圧調整を行うためには、さらなる工夫が必要である。
【００１０】
本発明は、相対回転可能な２つの筒状部材を通過してレンズ鏡筒の内圧調整を行うことができ、かつ良好な防水防滴性能を確保できるようにした光学機器を提供することを目的としている。
【課題を解決するための手段】
【００１１】
上記目的を達成するために、本発明の１つの観点は、それぞれレンズ鏡筒を構成し、光軸回りで相対回転可能な筒状の部材である第１の部材および該第１の部材の内側に配置された第２の部材を有する光学機器において、第１の部材に第１の通気開口部を形成し、第２の部材に第２の通気開口部を形成する。第１の部材には、撥水性および通気性を有し、第１の通気開口部を覆うカバー部材を取り付ける。そして、第１の通気開口部と第２の通気開口部のそれぞれの少なくとも一部が、第１および第２の部材の相対回転位置にかかわらずレンズ鏡筒の径方向において重なるものである。
【発明の効果】
【００１２】
本発明によれば、相対回転可能な第１および第２部材のそれぞれに形成された通気開口を通じて鏡筒内部と外界との間の通気を確保することができるとともに、良好な防水防滴性能を持たせることができる。
【発明を実施するための最良の形態】
【００１３】
以下、本発明の実施例について図面を参照しながら説明する。
【実施例１】
【００１４】
図１には、本発明の実施例１である交換レンズ装置（光学機器）の構成を示している。また、図２には、上記交換レンズ装置におけるレンズ鏡筒部の主要構成要素（固定筒等）を分解して示している。さらに、図３には、図１におけるＢ−Ｂ線での断面形状を示している。また、図４は、図１におけるＣ部を含むレンズ装置の先端部を分解して示している。以下、図１を中心として他の図を用いつつ説明する。
【００１５】
図１に示すＬ１〜Ｌ６はそれぞれ、被写体側（以下、前側という）から像側（以下、後側という）に順に配置された第１〜第６のレンズユニットである。これらレンズユニットＬ１〜Ｌ６は、ズーム操作環１の光軸方向の移動に応じて移動する。これにより、該レンズ装置の焦点距離を変更することができる。
【００１６】
ズーム操作環１の外周には、操作する際の滑りを防止するための操作ゴム１ａが配置され、ズーム操作環１の前端部には、有害光をカットするためのフード（図示せず）のバヨネット結合による取り付けが可能な爪部１ｂが形成されている。また、ズーム操作環１の後端部には、フォーカス操作環２と、ズーム操作の重さを調節するためのズーム操作調節リング３が配置されている。ズーム操作調節リング３は、フォーカス操作環２とネジ結合されている。ズーム操作調節リング３を回転させることによって、その内側のズームバンド３ａが内径側へと締め付けられていく。これにより、ズームバンド３ａと前側固定筒４との間の摩擦力が変化し、ズーミング操作力を調節することができる。
【００１７】
また、フォーカス操作環２の内周面には、レンズ鏡筒構造の内部と外界との間の急激な空気の出入り防止するための摺動材としてのフェルト材２ａが貼り付けられている。フェルト材２ａを前側固定筒４の外周面に圧接させることで、フォーカス操作環２の回転位置にかかわらず、常に前側固定筒４とフェルト材２ａとが接し、フォーカス操作環２と前側固定筒４との間から急激に空気が出入りしたり、鏡筒内部に水滴やゴミが浸入したりすることを防止している。
なお、ズーム操作調節リング３およびズームバンド３ａは、フェルト材２ａよりも外部空間側に配置されている。これにより、ズーム操作調節リング３およびズームバンド３ａが設けられていても、本来の通気孔（３０ｃ，９ｂ）を通してのみ鏡筒内外の間で空気を出入りさせることができる。
【００１８】
また、フォーカス操作環２の外周には、操作し易いように操作ゴム２ｃが配置されている。
【００１９】
第１の部材を構成する第３の部材としての前側固定筒４の内周面には、第２の部材としてのマニュアル連結環３０がその全周で接触している。マニュアル連結環３０の後端部には、リング状の振動型モータを含むフォーカス駆動ユニット（図中にハッチング領域として示す）８のマニュアル入力部（符号付さず）の切欠き部に入り込む突起部３０ａが周方向３箇所に設けられている。また、マニュアル連結環３０の前端部には、平面部３０ｂが設けられており、該平面部３０ｂには、コロ２９がビス２９ａによって取り付けられている。コロ２９は、フォーカス操作環２に設けられている直進溝部２ｂ内を移動する。
【００２０】
以上の構成により、ズーム操作環１およびフォーカス操作環２が一体的に光軸方向に移動しても、フォーカス操作環２の回転操作は、直進溝２ｂ、コロ２９およびマニュアル連結環３０の順に伝達され、フォーカスユニット８内のマニュアル入力部を回転させてマニュアルフォーカス操作を行うことができる。
【００２１】
５は直進筒であり、その内周側は案内筒７が配置されている。案内筒７の外周面には、３本の直進溝部（図示せず）が形成されており、この直進溝部には、直進筒５に一体的に固定された直進キー（図示せず）が係合している。これにより、直進筒５は案内筒７に対して光軸方向に直進移動できる。
【００２２】
また、直進筒５は、ズーム操作環１と不図示のビスで固定されており、第１レンズユニットＬ１を保持する第１鏡筒１３をビス４０およびコロ４１（図４参照）を介して固定保持している。このため、これら直進筒５、ズーム操作環１および第１鏡筒１３は一体的に光軸方向に移動する。
【００２３】
また、直進筒５には、カム部５ａが設けられ、このカム部５ａに係合するカムフォロワ（図示せず）はカム筒６に固定されている。従って、ズーム操作環１（第１レンズユニットＬ１）の光軸方向への移動に伴ってカム筒６は回転しながら光軸方向に移動する。
【００２４】
また、直進筒５の内周面５ｅには、カム筒６の先端に全周にわたって設けられた接触部としての摺動部６ｅが接触する。摺動部６ｅの外径は、カム筒６の他の部分の外径よりも大きい。
【００２５】
ここで、テレ側の焦点距離域では、第１レンズユニットＬ１から入射した光線が、直進筒５の内周面５ｅで像側（後側）に反射してゴースト像を形成することを抑制するため、内周面５ｅにおける光軸方向中間部の領域には、反射抑制構造としての遮光線５ｂが設けられている。遮光線５ｂは、図１の断面においては、鏡筒の内径側に頂点を有するＶ字突起が光軸方向に複数配列された構造（形状）を有する。
【００２６】
カム筒６の光軸方向の移動量は、第５レンズユニットＬ５を有する振れ補正ユニット（図中にはハッチング領域として示す）１２の光軸方向の移動量と同じであり、振れ補正ユニット１２は第５移動筒１１に固定されている。カム筒６に設けられた周溝部（図示せず）には、第５移動筒１１に固定されたカムフォロワ（図示せず）が係合する。これにより、カム筒６の回転しながらの光軸方向移動のうち光軸方向移動成分のみを第５移動筒１１および振れ補正ユニット１２に伝達する。
【００２７】
振れ補正ユニット１２は、第５レンズユニットＬ５を光軸直交方向にシフトさせることによって該レンズ装置の振動に伴う像振れを補正する。振れ補正動作を行わない場合、第５レンズユニットＬ５は、その光軸が該レンズ装置の光軸と一致するようにロックされている。また、振れ補正装置１２は不図示のフレキシブル基板を介して制御基板２１に接続されている。制御基板２１上には振動ジャイロ２１ａが実装されており、制御基板２１上に形成された制御回路（図示せず）は、該振動ジャイロ２１ａからの信号に基づいて振れ補正ユニット１２内のコイル（図示せず）に通電し、該コイルと永久磁石間の電磁作用（図示せず）により発生した推力によって第５レンズユニットＬ５を光軸直交方向に駆動する。
【００２８】
案内筒７は、前側および後側固定筒４，９とともに該レンズ装置の本体を構成する固定要素であり、後側部分よりも前側部分の方が外径が大きい２段筒形状に形成されている。後側部分には、フォーカス駆動ユニット８が固定され、さらに後端部には、第１の部材を構成する第４の部材としての後側固定筒９およびカメラ装着用のマウント１０がビスによって固定されている。
【００２９】
１４は防滴ゴムであり、カメラに装着された際にマウント１０の内部への水の浸入を防止する。
【００３０】
１５はマウントリングであり、その厚みを削ることで、フランジバック調整を行うことができる。なお、前側固定筒４と後側固定筒９は周方向３箇所にてビス（図２中の３７）によって一体的に固定されている。
【００３１】
第２レンズユニットＬ２を保持している第２鏡筒１６は、第２移動筒１７に３本のビス１８によって結合されており、第２鏡筒１６と第２移動筒１７の間には、レンズ間隔調整のためのワッシャ（図示せず）が挿入できる構成となっている。
【００３２】
第２移動筒１７に固定されているカムフォロワ（図示せず）は、フォーカスカム筒１９の内周面に形成されているフォーカスカム部（図示せず）に沿って移動する。３２は第２フォーカスキーであり、第２移動筒１７にビス３３で固定されている。また、第２フォーカスキー３２の先端部には、コロ３４が軸ビス３５によって固定されている。コロ３４は第１フォーカスキー２０と係合する。従って、第１フォーカスキー２０の回転に伴い第２フォーカスキー３２を介して第２レンズユニットＬ２が回転しながら光軸方向に進退する。
【００３３】
フォーカスカム筒１９に固定されているカムフォロワ（図示せず）は、カム筒６に設けられている光軸に平行な案内溝（図示せず）と第５移動筒１１に設けられているカム溝部１１ａに入り込む。このため、フォーカスカム筒１９は、カム筒６の回転に伴って回転しながら光軸方向に移動する。
【００３４】
ここで、ズーミング動作が行われると、カム筒６は回転しながら光軸方向に移動し、その回転に伴ってフォーカスカム筒１９も回転しながら光軸方向に移動する。この際、第１および第２フォーカスキー２０，３２は回転しないため、第２鏡筒１６も回転せずに光軸方向に移動する。第２鏡筒１６の光軸方向移動量は、フォーカスカム筒１９の回転しながらの光軸方向への移動量と、該フォーカスカム筒１９の回転に伴うフォーカスカムの光軸方向へのリフト量（第２移動筒１７に設けられたカムフォロワの光軸方向における当接位置の変化量）との和に相当する移動量となる。
【００３５】
なお、第２レンズユニットＬ２はフォーカスレンズユニットでもある。第２レンズユニットＬ２は、フォーカス駆動ユニット８からの出力や操作されたフォーカス操作環２の回転が第１フォーカスキー２０を介して第２フォーカスキー３２に伝達されることで、第２移動筒１７とともに回転しながら光軸方向に移動する。本実施例においては、第１フォーカスキー２０とフォーカス駆動ユニット８の出力部間の出力伝達距離が長いので、その間にはボールレース２８が介在している。
【００３６】
すなわち、フォーカス駆動ユニット８からの出力は、不図示の伝達キーの回転として出力される。伝達キーはボールレース２８の出力部材２８ａと接続されているので、伝達キーの回転は、出力部材２８ａを回転させる力として伝達される。調整部材２８ｄは、出力部材２８ａとねじ結合されており、ボール２８ｂの光軸方向のずれやガタを調整することができる。また、出力部材２８ａは、ベース部材２８ｃの凹部内に周方向に複数個配置されたボール２８ｂで支えられている。このため、出力部材２８ａは、ベース部材２８ｃに対してスムーズに回転できる。ベース部材２８ｃは案内筒７に結合している。
【００３７】
本実施例のレンズ装置は、焦点距離に応じて同じ距離の被写体に対するフォーカスのための移動量が異なる光学系である。このため、上記のような構成を採用して、フォーカスカム筒１９の回転によってフォーカスカムの使用領域を変化させ、第２レンズユニットＬ２の移動量を焦点距離に応じて変化させている。
【００３８】
２２は第３鏡筒であり、第３レンズユニットＬ３を保持し、かつ電磁絞りユニット２７が固定されている。第３鏡筒２２に設けられたカムフォロワ（図示せず）は、カム筒６に設けられたカム溝部６ａと第５移動筒１１に設けられた直進溝部（図示せず）に係合している。これにより、第３鏡筒２２は、カム筒６の回転しながらの光軸方向移動に伴ってカム溝部６ａのリフト量に対応した量だけ光軸方向に移動する。
【００３９】
２３は第４レンズユニットＬ４を保持する第４鏡筒２３である。この第４鏡筒２３に設けられたカムフォロワ（図示せず）は、カム筒６に設けられたカム溝部６ｂと第５移動筒１１に設けられた直進溝（図示せず）に係合している。これにより、第４鏡筒２３は、カム筒６の回転しながらの光軸方向移動に伴ってカム溝部６ｂのリフト量に対応した量だけ光軸方向に移動する。
【００４０】
２４は第６レンズユニットＬ６を保持する第６鏡筒である。第６鏡筒２４に設けられたカムフォロワは、カム筒６に設けられたカム溝部６ｃと案内筒７に設けられた直進溝部（図示せず）に係合している。このため、カム筒６の回転しながらの光軸方向移動に伴ってカム溝部６ｃのリフト量に対応した量だけ光軸方向に移動する。
【００４１】
２５は保持装置としての三脚座であり、不図示の三脚に固定するためのネジ部２５ａが設けられている。
【００４２】
本レンズ装置に設けられたフォーカス駆動ユニット８、振れ補正ユニット１２および電磁絞りユニット２７等の制御は、前述した制御基板２１上に形成された制御回路が行う。制御基板２１は、案内筒７の外周を囲む複数の平面部を有した形状を有し、案内筒７に固定されている。また、制御基板２１は、不図示のフレキシブル基板によってフォーカス駆動ユニット８やカメラとの電気的接続を行う電気接点２６と接続されている。さらに、制御基板２１は、振れ補正装置１２および電磁絞りユニット２７と、他のフレキシブル基板によって接続されている。さらに、振動ジャイロ２１ａは、制御基板２１上に半田付けされ、案内筒７に対してゴムを介してビス止めされている。
【００４３】
本実施例において、防水防滴性能を維持するのに考慮しなければならないことは、第１レンズユニットＬ１のズームによる移動量が他のレンズユニットの移動量に比べてかなり大きく、第１レンズユニットＬ１と第２レンズユニットＬ２間の空間（以下、内部空間という）Ａの容積変化が大きいことである。そして、この大きな容積変化に伴う鏡筒内部と外界との空気の流通路を確保する必要がある。
【００４４】
本実施例においては、内部空間Ａ内の空気は、直進筒５のカム部５ａや直進筒５の後端に形成された切欠き部（図示せず）を通過して、直進筒５の外側に出る。そして、その空気はマニュアル連結環３０に複数形成された通気孔（第２の通気開口部）３０ｃを通過し、さらに後側固定筒９に複数形成された通気孔（第１の通気開口部）９ｂを通って該レンズ装置の外部に流出する。また、外部の空気は、これとは逆の経路を辿って空間Ａ内に流れ込むことができる。
【００４５】
後側固定筒９には、撥水性微多孔材料により帯状に形成された１枚のカバーシート３６が複数の通気孔９ｂ孔を塞ぐように貼り付けられている。なお、カバーシート３６を貼り付けるための接着剤は、カバーシート３６における通気孔９ｂを覆う以外の部分にのみ付着するので、接着剤によって通気が阻害されることはない。
【００４６】
次に、本実施形態のレンズ鏡筒における第１の部材としての固定筒（前側固定筒４および後側固定筒９）の構成について、図２および図３を用いて説明する。
【００４７】
前側固定筒４は、後側固定筒９よりも内外径とも大きく形成されており、前側固定筒４の後部（三脚座取付部４ａ：カバー部）は、後側固定筒９の前部において外径が一段小さな段差部９ａに対して離れて（隙間Ｄをあけて）径方向にて重なっている。段差部９ａには、その周方向の複数箇所に通気孔（第１の通気開口）９ｂが形成されている。本実施例では、通気孔９ｂを周方向等間隔の４箇所に形成している。具体的には、通気孔９ｂは、図３に示すように、周方向に９０°ごとの４箇所に、それぞれが６０°に相当する周方向長さを有するように形成されている。
【００４８】
また、段差部９ａには、撥水性微多孔部材により単一部材として形成されたカバーシート３６が、通気孔９ｂの周囲が水密状態となるように、略全周に渡って貼り付けられている。つまり、段差部９ａの外周面のうち通気孔９ｂ以外のほぼ全ての部分にカバーシート３６が貼り付けられている。これにより、通気孔９ｂを流通する空気は、必ずカバーシート３６を通過する。なお、段差部９ａに貼り付けられたカバーシート３６と前側固定筒４の三脚座取付部（カバー部）４ａとの間には、上記隙間Ｄが形成されており、三脚座取付部４ａによってカバーシート３６の外周が覆われている。
【００４９】
また、９ｃは前側固定筒４に対する突き当て部であり、この突き当て部９ｃは、前側固定筒４の内周面に形成されたリング突起部４ｃに対して後方から当接する。
【００５０】
また、前側固定筒４の三脚座取付部４ａの後端は、図１に示す組み立て状態にて後側固定筒９の段差部９ａよりも後方に延び、該三脚座取付部４ａの内周面４ｄは、後側固定筒９の外周における段差部９ａよりも後方に形成された受け台部９ｄに接触する。受け台部９ｄは周方向６箇所に形成されている。このため、三脚座取付部４ａの内周面４ｄと後側固定筒９の外周面との距離は、この受け台部９ｄをスぺーサとして一定に維持される。そして、三脚座取付部４ａの内周面４ｄと後側固定筒９の外周面と周方向にて隣り合う２つの受け台部９ｄとに囲まれた領域は、図２中に矢印Ｐで示すように上記隙間Ｓを後方に向かって開放するための開口（以下、開放開口という）になる。したがって、内部空間Ａと外部空間とは空気に関してのみこの開放開口を通じて連通する（水滴はカバーシート３６により遮断される）ことになる。
【００５１】
また、前述した突き当て部９ａとリング突起部４ｃとの当接面には、この当接面にできるおそれのあるわずかな隙間を通って鏡筒内部に水が浸入するのを防ぐための防滴処理として、防滴油が塗布されている。
【００５２】
ここで、前側固定筒４と後側固定筒９は、周方向３箇所にてビス３７によって一体的に固定されるが、前側固定筒４におけるビス３７を挿入する穴４ｂの中心と、後側固定筒９の受け台部９ｄ上に形成されたビス下穴９ｅの中心とは、ビス３７の締め込みによって前側固定筒４を後側固定筒９側（後方）に引き込むことができるように、光軸方向に位置がずれている。このため、上記突き当て部９ａとリング突起部４ｃとの当接面をほぼ密着させることができ、防滴油の塗布との相乗効果によって確実な防滴性能を実現している。
【００５３】
前側固定筒４の内周面に接触した状態で回転可能なマニュアル連結環３０の後部に設けられた小径部３０ｅには、通気孔（第２の通気開口）３０ｃが周方向４箇所に形成されている。具体的には、通気孔３０ｃは、図３に示すように、周方向に９０°ごとの４箇所に、それぞれが７０°に相当する周方向長さを有するように形成されている。
【００５４】
そして、通気孔３０ｃは、図１（下側）に示すように、後側固定筒９の通気孔９ｂと、光軸方向において略一致する位置、すなわち光軸方向に関して通気孔９ｂに重なる位置に形成されている。
【００５５】
以上説明した構成により、内部空間Ａの空気は、直進筒５のカム部５ａや後端の切欠き部等を通り、さらに通気口３０ｃ，９ｂ、カバーシート３６、上記隙間Ｄおよび開放開口を通って外部空間に出る。また、外部空間の空気は、これとは逆の経路を辿って内部空間Ａに流れ込む。
【００５６】
ここで、本実施例では、カバーシート３６の外周を隙間Ｄを挟んで前側固定筒４の三脚座取付部４ａによって覆っているため、使用者がカバーシート３６に直接指を触れるおそれはほとんどない。このため、カバーシート３６を汚したり破損したりして、その撥水性能を劣化させることを防止できる。
【００５７】
また、マニュアル連結環３０に形成された通気孔３０ｃと、後側固定筒９に形成された通気孔９ｂとは、前述した周方向位置および周方向長さの関係により、マニュアル連結環３０の固定筒に対する回転位置にかかわらず、両通気口３０ｃ，９ｂのそれぞれの一部同士が必ず径方向にて重なる。しかも、重なる領域の周方向長さが、４０°に相当する長さを下回ることはない。つまり、それぞれの通気孔３０ｃ，９ｂの５０％以上の領域が空気の通路として確保される構成となっている。
【００５８】
また、前側固定筒４と後側固定筒９とがオーバーラップして形成される隙間Ｄの開口（開放開口）をマウント側（後側）に形成したことで、隙間Ｄは被写体側からは見えなくなる。また、三脚座取付部４ａを前側固定筒４と後側固定筒９とがオーバーラップした部分の外周としたことで、三脚座２５を締め付けた際にも耐えうる強度を確保できる。また、ここに三脚座２５が取り付けられることによって、隙間Ｄは更に目立たなくなり、外観上も好ましい。
【００５９】
通気孔３０ｃ，９ｂがそれぞれ周方向複数箇所に形成されたことにより、水滴が隙間Ｄの開口から侵入し、カバーシート３６における１つの通気孔９ｂを覆ったとしても、他の通気孔９ｂでの通気性は確保されるので、通気孔３０ｃ，９ｂを介した通気が完全に遮断されることはほとんどない。
【００６０】
次に、図４を用いて、本レンズ装置の先端部の構成について説明する。レンズ装置の前側に関しても防水防滴性能を確保する必要がある。このため、本実施例では、第１鏡筒１３の前側に形成された段差部１３ｃと化粧環３９との間にＯリング３８を配置している。３７はリング状の発泡シーリング材であり、弾性変形しても防水防滴性を維持できる部材である。この発泡シーリング材３７を化粧環３９の後側に貼り付けた後に、化粧環３９の周方向３箇所に設けられた爪部３９ａを第１鏡筒１３の周方向３箇所に形成された溝部１３ｂに係合させると、発泡シーリング材３７とＯリング３８とを圧縮状態として化粧環３９を第１鏡筒１３に固定することができる。これにより、直進筒５と化粧環３９との間の防水防滴性能は発泡シーリング材３７によって確保できる。また、化粧環３９と第１鏡筒１３との間の防水防滴性能は、化粧環３９の壁部３９ｂと第１鏡筒１３の段部１３ｃとにＯリング３８が圧接することによって確保できる。
【００６１】
また、直進筒５の先端部には、調整用カム部５ｆが周方向３箇所に等間隔で配置されている。また、調整用カム部５ｆの間には、固定用溝部５ｇも等間隔で周方向３箇所に形成されている。
【００６２】
第１鏡筒１３は、調整用カム部５ｆに係合する偏心コロ４０を第１鏡筒１３のコロ座１３ａに入り込ませ、ビス４１によって固定することで、直進筒５から脱落しないように結合する。そして、偏心コロ４０を回転させることにより、第１鏡筒１３（第１レンズユニットＬ１の光軸に対する倒れを補正する光学調整を行うことができる。そして、他の光学調整として、ズーミングによる無限遠ピント出しを行うために、偏心コロ４０を調整用カム部５ｆ内で移動させる。これにより、直進筒５に対する第１レンズユニットＬ１の光軸方向位置を調節し、無限遠ピント出しを行う。光学調整終了後、第１鏡筒１３の３箇所に挿入された固定ビス４２を固定用溝部５ｇに締め込むことにより、第１鏡筒１３を直進筒５と一体化させる。
【００６３】
なお、直進筒５と化粧環３９との間に発泡シーリング材３７を配置し、Ｏリングを配置しなかった理由は、第１鏡筒１３の光軸方向位置が上述した光学調整によって変化するため、Ｏリングではその位置変化に対応して防水防滴性能を維持するだけの変形量が得られないためである。
【００６４】
以上の構成により、レンズ装置（レンズ鏡筒部）の内部での容積変化が大きく、かつ相対回転する２つの筒状部材を通して空気を流通させる場合において、高い防水防滴性能を維持しつつ、その容積変化に対応した十分な通気量を確保することができる。このため、レンズ装置の内圧を外圧とを実質的に同じにすることができ、ズームに際してズーム操作環１の移動（操作）がスムーズに行うことができる。
【００６５】
特に、本実施例のように、通気孔９ｂ，３０ｃほそれぞれ周方向複数箇所に形成したので、一箇所の通気孔で通気性が悪化しても、他の通気孔により必要な通気量を確保することができる。
【００６６】
また、前側固定筒４のカバー部としての三脚座取付部４ａが、後側固定筒９に取り付けられたカバーシート３６の外周を覆うので、カバーシート３６を保護することができる。
【００６７】
また、三脚座取付部４ａと後側固定筒９の外周面との間に、隙間Ｄにつながる開放開口を後方に向けて形成したので、隙間Ｄが被写体側からは見えなくなり、外観上好ましい。
【００６８】
また、三脚座取付部４ａを両固定筒４，９が径方向にてオーバーラップする部位に設けたことで、三脚座により締め付け固定される当該部位の強度を確保することができる。
【００６９】
なお、本実施例では、後側固定筒９とマニュアル連結環３０に形成した通気孔９ｂ，３０ｃを４つとしたが、２つでも３つでも、さらには４つより多い数（８つ等）でもよい。
【００７０】
また、本実施例では、第１の部材が固定筒（４，９）で、第２の部材がマニュアル連結環３０である場合について説明したが、本発明にいう第１および第２の部材は、これらに限らず、ズーム操作のための回転部材等、他の筒状部材であってもよい。また、本実施例では、第１の部材が非回転部材で第２の部材が回転部材である場合について説明したが、その逆の関係にある場合にも、本発明を適用することができる。
【００７１】
さらに、本実施例では、交換レンズ装置について説明したが、本発明はレンズ鏡筒部を一体的に有するカメラ（光学機器）にも適用することができる。
【図面の簡単な説明】
【００７２】
【図１】本発明の実施例１である交換レンズ装置の断面図。
【図２】実施例の交換レンズ装置におけるレンズ鏡筒部の分解斜視図。
【図３】図１におけるＢ−Ｂ線での断面図である。
【図４】図１におけるＣ部の拡大した分解斜視図である。
【符号の説明】
【００７３】
Ｌ１〜Ｌ６  レンズユニット
１  ズーム操作環
２  マニュアル操作環
３  ズーム操作力調節リング
４  前側固定筒
９  後側固定筒
９ｂ  通気孔
２５  三脚座
３０  マニュアル連結環
３０ｃ  通気孔
３６  カバーシート
【図１】
2005227400.tif 000003
【図２】
2005227400.tif 000004
【図３】
2005227400.tif 000005
【図４】
2005227400.tif 000006